(57)【要約】【課題】光ディスク装置の記録と待機の切り替えにおいて、レーザパワーの立ち上がり・立ち下がりの遅れをなくし、サーボ不安定などの問題を解消することを目的とする。【解決手段】記録と待機の切り替えに際し、切替手段２０は時定数切替手段へコントロールパルスを出力し、所定時間だけバッファゲート２１を開ける。このため、抵抗１６と抵抗２２は並列接続となりローパスフィルタ１５の時定数が小さくなるため、レーザパワーの立ち上がり・立ち下がり時間を短縮することができる。これにより、記録開始時にレーザパワーの不足により発生するサーボ不安定や先頭データの記録欠落の問題や、待機開始時にレーザパワーの過多により発生するサーボやシステムが不安定となる問題を解決することができ、ＰＷＭ波形の残留リップルの悪化も防ぐことができる。【選択図】          図１
2004158064.tif 000002
【特許請求の範囲】
【請求項１】
記録時と待機時のデューティ比に応じたパルス幅変調波形を出力するパルス幅変調生成回路と、
記録と待機の切り替えに際し、所定時間だけ第１の時定数をより小さい第２の時定数に切り替える時定数切替手段と、
前記パルス幅変調波形を前記第１の時定数あるいは前記第２の時定数で平滑化して設定電圧を出力するローパスフィルタと、
記録時と待機時のパルス幅変調波形のデューティ比をそれぞれ設定するとともに、記録と待機の切り替えに際し、所定時間だけ前記時定数切替手段にコントロールパルスを出力する切替手段と、
前記設定電圧に比例したレーザパワーを発生する出力手段とを備え、
記録と待機の切り替えに際し、所定時間だけ時定数を小さくすることにより、レーザパワーの立ち上がり・立ち下がり時間を短縮するようにしたことを特徴とする光ディスク装置。
【請求項２】
記録時と待機時のデューティ比に応じたパルス幅変調波形を出力するパルス幅変調生成回路と、
前記パルス幅変調波形を平滑化して設定電圧を出力するローパスフィルタと、
記録時と待機時の設定電圧に略等しい直流電圧を出力する電圧源と、
待機から記録への切り替えに際し、前記記録時の設定電圧を前記ローパスフィルタに所定時間だけ供給し、記録から待機への切り替えに際し、前記待機時の設定電圧を前記ローパスフィルタに所定時間だけ供給する電圧供給手段と、
記録時と待機時の前記パルス幅変調波形のデューティ比をそれぞれ設定するとともに、記録と待機の切り替えに際し、前記電圧供給手段にコントロールパルスを所定時間だけ出力する切替手段と、
前記設定電圧に比例したレーザパワーを発生する出力手段とを備え、
記録と待機の切り替えに際し、記録時と待機時の設定電圧に略等しい前記直流電圧を前記電圧源から前記ローパスフィルタに所定時間だけ供給することにより、レーザパワーの立ち上がり・立ち下がり時間を短縮するようにしたことを特徴とする光ディスク装置。
【請求項３】
記録時と待機時のデューティ比に応じたパルス幅変調波形を出力するパルス幅変調生成回路と、
前記パルス幅変調波形を平滑化して設定電圧を出力するローパスフィルタと、
記録から待機への切り替えに際し、前記ローパスフィルタから出力される記録終了直前の記録時の設定電圧を一旦保持し、待機から記録への切り替えに際し、保持した当該記録時の設定電圧を出力するコンデンサからなる電圧源と、
記録から待機への切り替えに際し、前記記録時の設定電圧を前記ローパスフィルタから前記電圧源へ所定時間だけ供給し、待機から記録への切り替えに際し、当該記録時の設定電圧を前記電圧源から前記ローパスフィルタに所定時間だけ供給する電圧供給手段と、
記録時と待機時の前記パルス幅変調波形のデューティ比をそれぞれ設定するとともに、記録と待機の切り替えに際し、所定時間だけ前記電圧供給手段にコントロールパルスを出力する切替手段と、
前記設定電圧に比例したレーザパワーを発生する出力手段とを備え、
待機から記録への切り替えに際し、前記記録時の設定電圧を前記電圧源から前記ローパスフィルタに所定時間だけ供給することにより、レーザパワーの立ち上がり時間を短縮するようにしたことを特徴とする光ディスク装置。
【請求項４】
請求項３記載の光ディスク装置において、待機から記録への切り替えに際し、前記ローパスフィルタから出力される待機終了直前の前記待機時の設定電圧を一旦保持し、記録から待機への切り替えに際し、保持した当該待機時の設定電圧を出力する電圧源と、
待機から記録への切り替えに際し、前記待機時の設定電圧を前記ローパスフィルタから前記電圧源へ所定時間だけ供給し、記録から待機への切り替えに際し、当該待機時の設定電圧を前記電圧源から前記ローパスフィルタに所定時間だけ供給する電圧供給手段とを備え、
記録から待機への切り替えに際し、前記待機時の設定電圧を前記電圧源から前記ローパスフィルタに所定時間だけ供給することにより、レーザパワーの立ち下がり時間を短縮するようにしたことを特徴とする光ディスク装置。
【請求項５】
記録時と待機時のデューティ比に応じたパルス幅変調波形を出力するパルス幅変調生成回路と、
前記パルス幅変調波形を平滑化して設定電圧を出力するローパスフィルタと、
記録時と待機時の前記パルス幅変調波形のデューティ比をそれぞれ設定するとともに、待機から記録への切り替えに際し、所定時間だけパルス幅変調波形のデューティ比の増加を強め、記録から待機への切り替えに際し、所定時間だけ前記パルス幅変調波形のデューティ比の減少を強める設定を行うデューティ比設定手段と、
記録と待機の切り替えを前記デューティ比設定手段に指示する切替手段と、
前記設定電圧に比例したレーザパワーを発生する出力手段とを備え、
記録と待機の切り替えに際し、所定時間だけ前記パルス幅変調波形のデューティ比の増減を強めることにより、レーザパワーの立ち上がり・立ち下がり時間を短縮するようにしたことを特徴とする光ディスク装置。
【発明の詳細な説明】
【０００１】
【発明の属する技術分野】
本発明は、レーザパワーの切り替えに要する時間を短縮する光ディスク装置に関する。
【０００２】
【従来の技術】
従来の光ディスク装置（例えば、ＭＤ（ミニディスク））を図９を参照にして説明する。ここで、図９は従来の光ディスク装置の構成を示すブロック図である。（例えば、特許文献１、図７参照。）
図９に示すように、従来の光ディスク装置は、レーザダイオード６２，信号検出用のフォトダイオード６３，モニター用のフォトダイオード６４，検出用抵抗６５から構成されている光ピックアップ６１と、エミッタが電源に接続されコレクタがレーザダイオード６２のアノードに接続されるＰＮＰ型トランジスタ６７と、反転入力端子（−）がフォトダイオード６３のカソードに接続され非反転入力端子（＋）が電圧源６９（例えば、電源電圧の１／２の電圧）に接続され出力用端子７０と反転入力端子（−）が抵抗７１を介して接続されている演算増幅器６８と、反転入力端子（−）がローパスフィルタ７５と接続され非反転入力端子（＋）がフォトダイオード６４のカソードに接続され出力とトランジスタ６７のベースが抵抗７３を介して接続されている演算増幅器７２と、記録時と待機時のデューティ比に応じたパルス幅変調波形（以下、ＰＷＭ波形という）を出力するパルス幅変調生成回路７４（以下、ＰＷＭ生成回路７４という）と、例えば抵抗とコンデンサで形成されＰＷＭ生成回路７４から出力されたＰＷＭ波形を平滑化した設定電圧を演算増幅器７２の反転入力端子（−）へ出力するローパスフィルタ７５から構成されている。
【０００３】
以下に、従来の光ディスク装置の動作説明を行う。先ず、レーザダイオード６２が出射したレーザ光は、ディスク６６とともにフォトダイオード６４を照射し、ディスク６６へ照射される一方のレーザ光の反射光はフォトダイオード６３で電流に変換され接地電圧点への逆電流が発生し、演算増幅器６８と抵抗７１により電流を電圧に変換し出力用端子７０に出力する。フォトダイオード６４へ照射される他方のレーザ光も電流に変換されその電流は受光するレーザ光の強弱に比例した逆電流が流れるため抵抗６５の両端にはレーザダイオード６２のレーザパワーに比例した電圧が出力される。ここで、演算増幅器７２と抵抗７３とトランジスタ６７は、抵抗６５に発生する両端電圧とローパスフィルタ７５が出力する設定電圧との間に誤差が生じないよう接続されているため、誤差が生じた際は、レーザダイオード６２に負帰還がかかりレーザダイオード６２のレーザパワーがコントロールされローパスフィルタ７５から出力された設定電圧に比例する構成となっている。
なお、レーザダイオード６２は、待機時には低出力のレーザ光をディスクに照射し、記録時には待機時の数倍から約１０倍と高出力のレーザ光をディスクに照射して光磁気記録を行い、ディスク上に記録されているデータ（符号化された音声などの情報信号）により変調された反射光を受光素子で受光してデータの内容を検出し、ＰＷＭ生成回路７４から出力されるＰＷＭ波形のデューティ比を記録時と待機時で切り替えて、所望のレーザパワーを得ている。
【０００４】
上記構成の光ディスク装置において記録を行う場合、記録開始ディスク位置を特定するため装置は待機中に再生動作（ディスクのデータの読み取り動作）を行い、そのフォーカシングおよびトラッキング状態を維持したまま記録を開始する必要がある。また、光ディスク装置の記録方法として、高速度記録と記録休止（すなわち待機）が交互に行われる方法が一般的であり、記録モード中であってもディスク上では記録と待機が頻繁に切り替わっているため、記録時と待機時のレーザパワーの切り替わりを一定時間内に完了させる必要がある。
【０００５】
しかし、従来の光ディスク装置においては、記録と待機の切り替えに際し、ローパスフィルタ７５の時定数の影響で記録開始時にレーザパワーの立ち上がりが遅れるとレーザパワー不足によりサーボ不安定や先頭データの記録欠落が生じ、待機開始時にレーザパワーの立ち下がりが遅れるとレーザパワー過多によりサーボやシステムの不安定が発生するという問題があり、この問題を解決するために時定数を下げると、ＰＷＭ波形の残留リップルにより待機信号の品質が劣化するという新たな事象が発生した。
【０００６】
【特許文献１】
特開２００１−３３１９６０号公報
【０００７】
【発明が解決しようとする課題】
本発明の光ディスク装置は、上記問題点に鑑み、時定数切替手段，電圧供給手段，デューティ比設定手段の何れか一つの手段と、それらの制御を行う切替手段とを備えさせ所定時間だけレーザパワーのコントロールを行う。この構成により、記録開始や待機開始に際し、時定数切替手段であれば時定数、電圧供給手段であれば直流電圧、デューティ比設定手段であればデューティ比を所定時間だけ変化させることによりレーザパワーを記録時と待機時のターゲット値に短時間で到達させることができ、ＰＷＭ波形の残留リップルを悪化させることなくレーザパワーの立ち上がり・立ち下がり時間を短縮して、光ディスク装置の性能や信頼性を向上させることを目的とする。
【０００８】
【課題を解決するための手段】
前記課題を解決するために、本発明の請求項１記載の光ディスク装置は、記録時と待機時のデューティ比に応じたパルス幅変調波形を出力するパルス幅変調生成回路と、記録と待機の切り替えに際し、所定時間だけ第１の時定数をより小さい第２の時定数に切り替える時定数切替手段と、前記パルス幅変調波形を前記第１の時定数あるいは前記第２の時定数で平滑化して設定電圧を出力するローパスフィルタと、記録時と待機時のパルス幅変調波形のデューティ比をそれぞれ設定するとともに、記録と待機の切り替えに際し、所定時間だけ前記時定数切替手段にコントロールパルスを出力する切替手段と、前記設定電圧に比例したレーザパワーを発生する出力手段とを備え、記録と待機の切り替えに際し、所定時間だけ時定数を小さくすることにより、レーザパワーの立ち上がり・立ち下がり時間を短縮するようにした。
【０００９】
また、本発明の請求項２記載の光ディスク装置は、記録時と待機時のデューティ比に応じたパルス幅変調波形を出力するパルス幅変調生成回路と、前記パルス幅変調波形を平滑化して設定電圧を出力するローパスフィルタと、記録時と待機時の設定電圧に略等しい直流電圧を出力する電圧源と、待機から記録への切り替えに際し、前記記録時の設定電圧を前記ローパスフィルタに所定時間だけ供給し、記録から待機への切り替えに際し、前記待機時の設定電圧を前記ローパスフィルタに所定時間だけ供給する電圧供給手段と、記録時と待機時の前記パルス幅変調波形のデューティ比をそれぞれ設定するとともに、記録と待機の切り替えに際し、前記電圧供給手段にコントロールパルスを所定時間だけ出力する切替手段と、前記設定電圧に比例したレーザパワーを発生する出力手段とを備え、記録と待機の切り替えに際し、記録時と待機時の設定電圧に略等しい前記直流電圧を前記電圧源から前記ローパスフィルタに所定時間だけ供給することにより、レーザパワーの立ち上がり・立ち下がり時間を短縮するようにした。
【００１０】
また、本発明の請求項３記載の光ディスク装置は、記録時と待機時のデューティ比に応じたパルス幅変調波形を出力するパルス幅変調生成回路と、前記パルス幅変調波形を平滑化して設定電圧を出力するローパスフィルタと、記録から待機への切り替えに際し、前記ローパスフィルタから出力される記録終了直前の記録時の設定電圧を一旦保持し、待機から記録への切り替えに際し、保持した当該記録時の設定電圧を出力するコンデンサからなる電圧源と、記録から待機への切り替えに際し、前記記録時の設定電圧を前記ローパスフィルタから前記電圧源へ所定時間だけ供給し、待機から記録への切り替えに際し、当該記録時の設定電圧を前記電圧源から前記ローパスフィルタに所定時間だけ供給する電圧供給手段と、記録時と待機時の前記パルス幅変調波形のデューティ比をそれぞれ設定するとともに、記録と待機の切り替えに際し、所定時間だけ前記電圧供給手段にコントロールパルスを出力する切替手段と、前記設定電圧に比例したレーザパワーを発生する出力手段とを備え、待機から記録への切り替えに際し、前記記録時の設定電圧を前記電圧源から前記ローパスフィルタに所定時間だけ供給することにより、レーザパワーの立ち上がり時間を短縮するようにした。
【００１１】
また、本発明の請求項４記載の光ディスク装置は、待機から記録への切り替えに際し、前記ローパスフィルタから出力される待機終了直前の前記待機時の設定電圧を一旦保持し、記録から待機への切り替えに際し、保持した当該待機時の設定電圧を出力する電圧源と、待機から記録への切り替えに際し、前記待機時の設定電圧を前記ローパスフィルタから前記電圧源へ所定時間だけ供給し、記録から待機への切り替えに際し、当該待機時の設定電圧を前記電圧源から前記ローパスフィルタに所定時間だけ供給する電圧供給手段とを備え、記録から待機への切り替えに際し、前記待機時の設定電圧を前記電圧源から前記ローパスフィルタに所定時間だけ供給することにより、レーザパワーの立ち下がり時間を短縮するようにした。
【００１２】
また、本発明の請求項５記載の光ディスク装置は、記録時と待機時のデューティ比に応じたパルス幅変調波形を出力するパルス幅変調生成回路と、前記パルス幅変調波形を平滑化して設定電圧を出力するローパスフィルタと、記録時と待機時の前記パルス幅変調波形のデューティ比をそれぞれ設定するとともに、待機から記録への切り替えに際し、所定時間だけパルス幅変調波形のデューティ比の増加を強め、記録から待機への切り替えに際し、所定時間だけ前記パルス幅変調波形のデューティ比の減少を強める設定を行うデューティ比設定手段と、記録と待機の切り替えを前記デューティ比設定手段に指示する切替手段と、前記設定電圧に比例したレーザパワーを発生する出力手段とを備え、記録と待機の切り替えに際し、所定時間だけ前記パルス幅変調波形のデューティ比の増減を強めることにより、レーザパワーの立ち上がり・立ち下がり時間を短縮するようにした。
【００１３】
【発明の実施の形態】
以下、本発明の光ディスク装置の実施の形態について、図１から図８を用いて説明する。
【００１４】
（実施の形態１）
図１は本発明の実施の形態１における光ディスク装置の構成を示すブロック図、図２は本発明の実施の形態１における光ディスク装置の動作を説明する信号波形図である。
【００１５】
図１に示すように、本発明の実施の形態１における光ディスク装置は、レーザダイオード２，信号検出用のフォトダイオード３，モニター用のフォトダイオード４，検出用抵抗５から構成されている光ピックアップ１と、エミッタが電源に接続されコレクタがレーザダイオード２のアノードに接続されるＰＮＰ型トランジスタ７と、反転入力端子（−）がフォトダイオード３のカソードに接続され非反転入力端子（＋）が電圧源９（例えば、電源電圧の１／２の電圧）に接続され出力用端子１０と反転入力端子（−）が抵抗１１を介して接続されている演算増幅器８と、反転入力端子（−）がローパスフィルタ１５と接続され非反転入力端子（＋）がフォトダイオード４のカソードに接続され出力とトランジスタ７のベースが抵抗１３を介して接続されている演算増幅器１２と、記録時と待機時のデューティ比に応じたパルス幅変調波形（以下、ＰＷＭ波形という）を出力するパルス幅変調生成回路１４（以下、ＰＷＭ生成回路１４という）と、ローパスフィルタ１５と、切替手段２０と、バッファゲート２１と、抵抗２２により構成されている。
【００１６】
ローパスフィルタ１５は、ＰＷＭ生成回路１４と演算増幅器１２の反転入力端子（−）間に直列に接続されている抵抗１６，  １７と一端が抵抗１６，  １７に接続され他端が接地されているコンデンサ１８，  １９で形成され、ＰＷＭ生成回路１４から出力されたＰＷＭ波形を平滑化した設定電圧を演算増幅器１２の反転入力端子（−）へ出力する。
【００１７】
切替手段２０は、記録時と待機時のＰＷＭ波形のデューティ比をそれぞれ設定するとともに、記録と待機の切り替えに際し、バッファゲート２１を所定時間だけ開くためのコントロールパルスを出力する。
【００１８】
バッファゲート２１は、トライステートタイプのゲートで、その出力は抵抗２２を介してコンデンサ１８に接続されている。
なお、バッファゲート２１と抵抗２２より時定数切替手段が構成され、光ピックアップ１、レーザダイオード２、フォトダイオード３，４、抵抗５，１１，１３，１６，１７、ディスク６、ＰＮＰ型トランジスタ７、演算増幅器８，１２、電圧源９、出力用端子１０、コンデンサ１８，１９より出力手段が構成されている。
【００１９】
以下に、上記のように構成された実施の形態１の光ディスク装置の動作について図２を参照しながら説明する。
図２に示す波形ａ，ｂ，ｃは図１の同一符号における波形をそれぞれ表わしたもので、波形ａはレーザパワー、波形ｂはＨレベルが記録，Ｌレベルが待機を表わす切替コントロールパルス、波形ｃはＨレベルが出力，Ｌレベルが遮断を表わすバッファゲート２１のコントロールパルスである。なお、バッファゲート２１のコントロールパルスを出力する時間は、記録開始時と待機開始時で必ずしも一致するものでない。
先ず、出力手段の動作として、レーザダイオード２が出射したレーザ光は、ディスク６とともにフォトダイオード４を照射し、ディスク６へ照射される一方のレーザ光の反射光はフォトダイオード３で電流に変換され接地電圧点への逆電流が発生し、演算増幅器８と抵抗１１により電流を電圧に変換し出力用端子１０に出力する。フォトダイオード４へ照射される他方のレーザ光も電流に変換されその電流は受光するレーザ光の強弱に比例した逆電流が流れるため抵抗５の両端にはレーザダイオード２のレーザパワーに比例した電圧が出力される。ここで、演算増幅器１２と抵抗１３とトランジスタ７は、抵抗５に発生する両端電圧とローパスフィルタ１５が出力する設定電圧との間に誤差が生じないよう接続されているため、誤差が生じた際は、レーザダイオード２に負帰還がかかりレーザダイオード２のレーザパワーがコントロールされローパスフィルタ１５から出力された設定電圧に比例する構成となっている。
【００２０】
この構成のもと、波形ｂに示すように切替手段２０がＬ→Ｈ→Ｌと切り替わる切替コントロールパルスを出力すると、ＰＷＭ生成回路１４から出力されるＰＷＭ波形のデューティ比は低→高→低と切り替わるため、波形ａに示すようにレーザパワーは待機→記録→待機と切り替わる。
この記録と待機の切り替えの際、切替手段２０は、波形ｃに示すようなコントロールパルスを出力し所定時間だけバッファゲート２１を開けるため抵抗１６と抵抗２２は並列接続となり、所定時間だけ小さい時定数（第２の時定数）が生成される。上述したように、レーザパワーはローパスフィルタ１５から出力される設定電圧に比例することから、時定数が小さくなれば波形ａに示すように短時間で記録時と待機時のターゲット値に到達することができる。
【００２１】
このように、本発明の実施の形態１における光ディスク装置によれば、バッファゲート２１と抵抗２２からなる時定数切替手段と切替手段２０とを備え、記録と待機の切り替えに際し、所定時間だけローパスフィルタ１５の時定数を小さくすることにより、従来の光ディスク装置のレーザパワーを示す破線波形とは異なり、レーザパワーの立ち上がり・立ち下がり時間を短縮することができるため、記録開始時にレーザパワーの不足により発生するサーボ不安定や先頭データの記録欠落の問題や、待機開始時にレーザパワーの過多により発生するサーボやシステムが不安定となる問題を解決することができる。
【００２２】
なお、時定数が小さくなると、ローパスフィルタ１５の出力電圧にＰＷＭ波形の残留リップルの影響が出るので、バッファゲート２１のコントロールパルスの出力を予めレーザパワーの立ち上がり・立ち下がり時間以内に設定しておくことが望ましい。
【００２３】
（実施の形態２）
図３は本発明の実施の形態２における光ディスク装置の構成を示すブロック図、図４は本発明の実施の形態２における光ディスク装置の動作を説明する信号波形図である。
【００２４】
図３において、出力手段およびローパスフィルタ１５は、全て図１における同一符号物と構成及び相互の接続関係が同一なので説明を割愛する。            本発明の実施の形態２における光ディスク装置は、出力手段とローパスフィルタ１５に加えて、記録時と待機時のデューティ比に応じたＰＷＭ波形出力するＰＷＭ生成回路１４と、記録時の設定電圧にほぼ等しい直流電圧を出力する電圧源３１と、待機時の設定電圧にほぼ等しい直流電圧を出力する電圧源３２と、電圧源３１の出力を制御するためのスイッチ３３と、電圧源３２の出力を制御するためのスイッチ３４と、スイッチ３３，３４に接続され抵抗１６と比較して抵抗値が小さい電流制限用の抵抗である抵抗３５と、切替手段３６により構成されている。
【００２５】
切替手段３６は、記録時と待機時のＰＷＭ波形のデューティ比をそれぞれ設定するとともに、記録開始に際し所定時間だけスイッチ３３をオンすると記録コントロールパルスを出力し、待機開始に際し所定時間だけスイッチ３４をオンすると待機コントロールパルスを出力する。
【００２６】
なお、スイッチ３３，３４により電圧供給手段が構成されている。
以下に、上記のように構成された実施の形態２の光ディスク装置の動作について図４を参照しながら説明する。
【００２７】
図４に示す波形ｄ，ｅ，ｆ，  ｇは図３の同一符号における波形をそれぞれ表わしたもので、波形ｄはレーザパワー、波形ｅはＨレベルが記録，Ｌレベルが待機を表わす切替コントロールパルス、波形ｆはＨレベルがオン，Ｌレベルがオフを表わすスイッチ３３の記録コントロールパルス、波形ｇはＨレベルがオン，Ｌレベルがオフを表わすスイッチ３４の待機コントロールパルスである。なお、記録・待機コントロールパルスを出力する時間は、必ずしも一致するものでない。
【００２８】
先ず、出力手段の動作として、レーザダイオード２が出射したレーザ光は、ディスク６とともにフォトダイオード４を照射し、ディスク６へ照射される一方のレーザ光の反射光はフォトダイオード３で電流に変換され接地電圧点への逆電流が発生し、演算増幅器８と抵抗１１により電流を電圧に変換し出力用端子１０に出力する。フォトダイオード４へ照射される他方のレーザ光も電流に変換されその電流は受光するレーザ光の強弱に比例した逆電流が流れるため抵抗５の両端にはレーザダイオード２のレーザパワーに比例した電圧が出力される。ここで、演算増幅器１２と抵抗１３とトランジスタ７は、抵抗５に発生する両端電圧とローパスフィルタ１５が出力する設定電圧との間に誤差が生じないよう接続されているため、誤差が生じた際は、レーザダイオード２に負帰還がかかりレーザダイオード２のレーザパワーがコントロールされローパスフィルタ１５から出力された設定電圧に比例する構成となっている。
【００２９】
この構成のもと、波形ｅに示すように切替手段３６がＬ→Ｈ→Ｌと切り替わる切替コントロールパルスを出力すると、ＰＷＭ生成回路１４から出力されるＰＷＭ波形のデューティ比は低→高→低と切り替わるため、波形ｄに示すようにレーザパワーは待機→記録→待機と切り替わる。
【００３０】
記録開始の際、波形ｆに示すように、切替手段３６がスイッチ３３へ所定時間だけ記録コントロールパルスを出力しスイッチ３３がオンすることにより、電圧源３１から記録時の設定電圧とほぼ等しい電圧が出力され抵抗３５を介してコンデンサ１８を瞬時に記録時の設定電圧と同一電圧に充電し、また、この時のローパスフィルタは抵抗１６に比べて抵抗値の小さい抵抗３５、抵抗１７、コンデンサ１８，１９で構成されるため、スイッチ３３をオンする前に比べて時定数は小さくなる。このため、ローパスフィルタ１５の出力は急速に上昇し、レーザパワーはローパスフィルタ１５から出力される設定電圧に比例することから、波形ｄに示すように短時間で記録時のターゲット値に到達することができる。
【００３１】
待機開始の際、波形ｇに示すように、切替手段３６がスイッチ３４へ所定時間だけ待機コントロールパルスを出力しスイッチ３４がオンすることにより、電圧源３２から待機時の設定電圧とほぼ等しい電圧が出力され抵抗３５を介してコンデンサ１８を瞬時に待機時の設定電圧と同一電圧に充電し、また、上記構成によるローパスフィルタにより、スイッチ３４をオンする前に比べて時定数は小さくなる。このため、ローパスフィルタ１５の出力は急速に下降し、レーザパワーはローパスフィルタ１５から出力される設定電圧に比例することから、波形ｄに示すように短時間で待機時のターゲット値に到達することができる。
【００３２】
このように、本発明の実施の形態２における光ディスク装置によれば、電圧源３１，３２とスイッチ３３，３４からなる電圧供給手段と切替手段３６とを備え、記録と待機の切り替えに際し、記録時の設定電圧とほぼ等しい電圧を備える電圧源３１と待機時の設定電圧とほぼ等しい電圧を備える電圧源３２から所定時間だけコンデンサ１８を急速に充電させることにより、従来の光ディスク装置のレーザパワーを示す破線波形とは異なり、レーザパワーの立ち上がり・立ち下がり時間を短縮することができるため、記録開始時にレーザパワーの不足により発生するサーボ不安定や先頭データの記録欠落の問題や、待機開始時にレーザパワーの過多により発生するサーボやシステムが不安定となる問題を解決することができる。
【００３３】
なお、ディスクの条件等により、電圧源３１，３２の電圧値と記録時・待機時の設定電圧値との僅かな誤差による影響で、コントロールパルスｆ，  ｇがＨレベルからＬレベルに下がった時点で波形ｄに僅かな段差が生じる場合があるので、切替手段３６からコントロールパルスｆ，  ｇを出力する時間は、予めレーザパワーの立ち上がり・立ち下がり時間以内に設定しておくことが望ましい。
【００３４】
（実施の形態３）
図５は本発明の実施の形態３における光ディスク装置の構成を示すブロック図、図６は本発明の実施の形態３における光ディスク装置の動作を説明する信号波形図である。
【００３５】
図５において、出力手段およびローパスフィルタ１５は、全て図１における同一符号物と構成及び相互の接続関係が同一なので説明を割愛する。
本発明の実施の形態３における光ディスク装置は、出力手段とローパスフィルタ１５に加えて、記録時と待機時のデューティ比に応じたＰＷＭ波形を出力するＰＷＭ生成回路１４と、電源保持回路４１と、抵抗１６と比較して抵抗値が小さい電流制限用の抵抗である抵抗４７と、切替手段４８により構成されている。
【００３６】
電圧保持回路４１は、演算増幅器４２，４３とスイッチ４４，４５とコンデンサ４６から構成されている。演算増幅器４２，４３はともにボルテージ・フォロワ構成の演算増幅器で、演算増幅器４２の非反転入力端子（＋）はローパスフィルタ１５の出力と接続され、出力はスイッチ４４を介してコンデンサ４６に接続される。また、演算増幅器４３の非反転入力端子（＋）はコンデンサ４６と接続され、出力はスイッチ４５と抵抗４７を介してコンデンサ１８に接続される。
切替手段４８は、記録時と待機時のＰＷＭ波形のデューティ比をそれぞれ設定するとともに、記録開始に際し所定時間だけスイッチ３３をオンすると充電コントロールパルスを出力し、待機開始に際し所定時間だけスイッチ３４をオンすると待機コントロールパルスを出力する。
【００３７】
なお、スイッチ４４，４５により電圧供給手段が構成されている。
以下に、上記のように構成された従来の光ディスク装置の動作について図６を参照しながら説明する。
【００３８】
図６に示す波形ｈ，ｊ，ｋ，  ｍは図７の同一符号における波形をそれぞれ表わしたもので、波形ｈはレーザパワー、波形ｊはＨレベルが記録，Ｌレベルが待機を表わす切替コントロールパルス、波形ｋはＨレベルがオン，Ｌレベルがオフを表わすスイッチ４４の充電コントロールパルス、波形ｍはＨレベルがオン，Ｌレベルがオフを表わすスイッチ４５の待機コントロールパルスである。なお、充電・待機コントロールパルスを出力する時間は、必ずしも一致するものでない。
【００３９】
先ず、出力手段の動作として、レーザダイオード２が出射したレーザ光は、ディスク６とともにフォトダイオード４を照射し、ディスク６へ照射される一方のレーザ光の反射光はフォトダイオード３で電流に変換され接地電圧点への逆電流が発生し、演算増幅器８と抵抗１１により電流を電圧に変換し出力用端子１０に出力する。フォトダイオード４へ照射される他方のレーザ光も電流に変換されその電流は受光するレーザ光の強弱に比例した逆電流が流れるため抵抗５の両端にはレーザダイオード２のレーザパワーに比例した電圧が出力される。ここで、演算増幅器１２と抵抗１３とトランジスタ７は、抵抗５に発生する両端電圧とローパスフィルタ１５が出力する設定電圧との間に誤差が生じないよう接続されているため、誤差が生じた際は、レーザダイオード２に負帰還がかかりレーザダイオード２のレーザパワーがコントロールされローパスフィルタ１５から出力された設定電圧に比例する構成となっている。
【００４０】
この構成のもと、波形ｊに示すように切替手段４８がＬ→Ｈ→Ｌと切り替わる切替コントロールパルスを出力すると、ＰＷＭ生成回路１４から出力されるＰＷＭ波形のデューティ比は低→高→低と切り替わるため、波形ｈに示すようにレーザパワーは待機→記録→待機と切り替わる。
【００４１】
記録開始の直前、波形ｋに示すように、切替手段４８は所定時間だけ充電コントロールパルスを出力し、スイッチ４４をオンするので、ローパスフィルタ１５の出力である待機時の設定電圧と同一電圧でコンデンサ４６は充電される。記録開始と同時にスイッチ４４はオフとなり、コンデンサ４６には待機時の設定電圧と同一電圧が保持される。
【００４２】
待機開始の直前、波形ｍに示すように、待機開始と同時に切替手段４８は所定時間だけ待機コントロールパルスを出力し、スイッチ４５をオンすることによりコンデンサ４６に保持されていた待機時の設定電圧と同一電圧を演算増幅器４３，スイッチ４５，抵抗４７を介してコンデンサ１８へ瞬時に充電し、また、この時のローパスフィルタは抵抗１６に比べて抵抗値の小さい抵抗４７、抵抗１７、コンデンサ１８，１９で構成されるため、スイッチ４５をオンする前に比べて時定数は小さくなる。このため、ローパスフィルタ１５の出力は急速に下降し、レーザパワーはローパスフィルタ１５から出力される設定電圧に比例することから、波形ｈに示すように短時間で待機時のターゲット値に到達することができる。
このように、本発明の実施の形態３における光ディスク装置によれば、スイッチ４４，４５からなる電圧供給手段と切替手段４８とを備え、記録から待機の切り替えに際し、電圧供給手段によって所定時間だけコンデンサ１８を充電することにより、従来の光ディスク装置のレーザパワーを示す破線波形とは異なり、待機開始時のレーザパワーの立ち下がり時間を短縮できるため、レーザパワーの過多により発生するサーボやシステムが不安定となる問題を解決することができ、特に、待機時の設定電圧と電圧保持回路４１の出力電圧の誤差がほとんど発生しないため、立ち下がり時間短縮の効果が非常に高い。
【００４３】
なお、本発明の実施の形態３では待機開始時を例に説明したが、記録開始時においても同様の考え方ができる。本実施の形態３を応用し、波形ｎのように記録開始時のレーザパワーの立ち上がり時間を短縮することにより、システムの性能や信頼性を向上させることができる。
【００４４】
（実施の形態４）
図７は本発明の実施の形態４における光ディスク装置の構成を示すブロック図、図８は本発明の実施の形態４における光ディスク装置の動作を説明する信号波形図である。
【００４５】
図７において、出力手段およびローパスフィルタ１５は、全て図１における同一符号物と構成及び相互の接続関係が同一なので説明を割愛する。
本発明の実施の形態４における光ディスク装置は、出力手段とローパスフィルタ１５に加えて、記録時と待機時のデューティ比の設定値に応じたＰＷＭ波形を出力するＰＷＭ生成回路１４と、記録と待機の切り替えをデューティ比設定手段に指示する切替手段５１と、デューティ比設定手段５２により構成されている。
【００４６】
デューティ比設定手段５２は、切替手段５１の指示により記録時と待機時のＰＷＭ波形のデューティ比の設定を行うとともに、記録開始の直後、所定時間だけ通常の記録時より高いデューティ比を設定し、待機開始の直後も同様に、所定時間だけ通常の待機時より低いデューティ比を設定する構成となっている。
【００４７】
以下に、上記のように構成された実施の形態４の光ディスク装置の動作について図８を参照しながら説明する。
図８に示す波形ｐ、ｑ、ｒは図７の同一符号における波形をそれぞれ表わしたもので、波形ｐはレーザパワー、波形ｑはＰＷＭ生成回路１４から出力されるＰＷＭ波形のデューティ比を縦軸で表わした波形（デューティ比の比率を表わす波形）、波形ｒはＨレベルが記録，Ｌレベルが待機を表わす切替コントロールパルスである。
【００４８】
先ず、出力手段の動作として、レーザダイオード２が出射したレーザ光は、ディスク６とともにフォトダイオード４を照射し、ディスク６へ照射される一方のレーザ光の反射光はフォトダイオード３で電流に変換され接地電圧点への逆電流が発生し、演算増幅器８と抵抗１１により電流を電圧に変換し出力用端子１０に出力する。フォトダイオード４へ照射される他方のレーザ光も電流に変換されその電流は受光するレーザ光の強弱に比例した逆電流が流れるため抵抗５の両端にはレーザダイオード２のレーザパワーに比例した電圧が出力される。ここで、演算増幅器１２と抵抗１３とトランジスタ７は、抵抗５に発生する両端電圧とローパスフィルタ１５が出力する設定電圧との間に誤差が生じないよう接続されているため、誤差が生じた際は、レーザダイオード２に負帰還がかかりレーザダイオード２のレーザパワーがコントロールされローパスフィルタ１５から出力された設定電圧に比例する構成となっている。
【００４９】
この構成のもと、波形ｒに示すように切替手段５１がＬ→Ｈ→Ｌと切り替わる切替コントロールパルスを出力すると、デューティ比設定手段５２から出力されるＰＷＭ波形のデューティ比は低→高→低と切り替わるため、波形ｐに示すようにレーザパワーは待機→記録→待機と切り替わる。
【００５０】
記録開始の際、波形ｒに示すように、切替手段５１からの出力がＬレベルからＨレベルへ切り替わると、デューティ比設定手段５２は記録時のＰＷＭ波形のデューティ比の設定を行うとともに、記録開始直後、所定時間だけ通常の記録時より高いデューティ比の設定も行うため、ＰＷＭ生成回路１４からの出力は波形ｑに示すようなデューティ比のＰＷＭ波形を出力する。このため、ローパスフィルタ１５の出力は急速に上昇し、レーザパワーはローパスフィルタ１５から出力される設定電圧に比例することから、波形ｐに示すように短時間で記録時のターゲット値に到達することができる。
【００５１】
待機開始の際、波形ｒが示すように、切替手段５１からの出力がＨレベルからＬレベルへ切り替わると、デューティ比設定手段５２は待機時のＰＷＭ波形のデューティ比の設定を行うとともに、待機開始直後、所定時間だけ通常の待機時より低いデューティ比の設定も行うため、ＰＷＭ生成回路１４からの出力は波形ｑに示すようなデューティ比のＰＷＭ波形を出力する。このため、ローパスフィルタ１５の出力は急速に下降し、レーザパワーはローパスフィルタ１５から出力される設定電圧に比例することから、波形ｐに示すように短時間で待機時のターゲット値に到達することができる。
【００５２】
このように、本発明の実施の形態４における光ディスク装置によれば、切替手段５１とデューティ比設定手段５２とを備え、記録開始直後に所定時間だけ通常より高いデューティ比を設定し、待機開始直後に所定時間だけ通常より低いデューティ比を設定することにより、従来の光ディスク装置のレーザパワーを示す破線波形とは異なり、レーザパワーの立ち上がり・立ち下がり時間を短縮することができるため、記録開始時のレーザパワーの不足により発生するサーボ不安定や先頭データの記録欠落の問題や、記録終了時のレーザパワーの過多により発生するサーボやシステムが不安定となる問題を解決することができる。
【００５３】
なお、記録開始時あるいは待機開始時に、レーザパワーの波形ｐにオーバーシュートが現れる場合があるので、所定時間は予めレーザパワーの立ち上がり・立ち下がり時間以内に設定しておくことが望ましい。また、レーザパワーの増減を強める時間の長さは必ずしも一致するものでない。
【００５４】
以上、上述した実施の形態１，２，４では記録と待機の切り替えを例に説明したが、記録中あるいは待機の途中でレーザパワーの設定を切り替える必要が生じた場合でも有効であり、レーザパワーの立ち上がり・立ち下がり時間を短縮し、装置の性能や信頼性を向上させることができる。
【００５５】
また、全ての実施の形態において、ＭＤを例に説明を行ったが、記録時と待機時などレーザパワーが異なる様々な光ディスク装置に対して、本発明が適用可能であることは言うまでもない。
【００５６】
【発明の効果】
以上のように、本発明の光ディスク装置によれば、時定数切替手段，電圧供給手段，デューティ比設定手段の何れか一つの手段と、それらの制御を行う切替手段とを備えさせ所定時間だけレーザパワーのコントロールを行う。この構成により、記録開始や待機開始に際し、時定数切替手段であれば時定数、電圧供給手段であれば直流電圧、デューティ比設定手段であればデューティ比を所定時間だけ変化させることによりレーザパワーを記録時と待機時のターゲット値に短時間で到達させることができ、ＰＷＭ波形の残留リップルを悪化させることなくレーザパワーの立ち上がり・立ち下がり時間を短縮して、光ディスク装置の性能や信頼性を向上させることができる。
【図面の簡単な説明】
【図１】本発明の実施の形態１における光ディスク装置の構成を示すブロック図。
【図２】本発明の実施の形態１における光ディスク装置の動作を説明する信号波形図。
【図３】本発明の実施の形態２における光ディスク装置の構成を示すブロック図。
【図４】本発明の実施の形態２における光ディスク装置の動作を説明する信号波形図。
【図５】本発明の実施の形態３における光ディスク装置の構成を示すブロック図。
【図６】本発明の実施の形態３における光ディスク装置の動作を説明する信号波形図。
【図７】本発明の実施の形態４における光ディスク装置の構成を示すブロック図。
【図８】本発明の実施の形態４における光ディスク装置の動作を説明する信号波形図。
【図９】従来の光ディスク装置の構成を示すブロック図。
【符号の説明】
１、６１  光ピックアップ
２、６２  レーザダイオード
３、４、６３、６４  フォトダイオード
５、１１、１３、１６、１７、２２、３５、４７、６５、７１、７３  抵抗
６、６６  ディスク
７、６７  トランジスタ
８、１２、４２、４３、６８、７２  演算増幅器
９、３１、３２、６９  電圧源
１０、７０  出力用端子
１４、７４  パルス幅変調生成回路（ＰＷＭ生成回路）
１５、７５  ローパスフィルタ
１８、１９、４６  コンデンサ
２０、３６、４８、５１  切替手段
２１  バッファゲート
３３、３４、４４、４５  スイッチ
４１  電圧保持回路
５２  デューティ比設定手段
【図１】
2004158064.tif 000003
【図２】
2004158064.tif 000004
【図３】
2004158064.tif 000005
【図４】
2004158064.tif 000006
【図５】
2004158064.tif 000007
【図６】
2004158064.tif 000008
【図７】
2004158064.tif 000009
【図８】
2004158064.tif 000010
【図９】
2004158064.tif 000011